(57)【要約】【課題】医療従事者がストレス無く利用でき、かつ針などの鋭利な医療器具の先端で指などを刺す事故を防止するための包装容器を提供する。【解決手段】鋭利な先端部１１，２１と、鋭利な先端部１１，２１を保護するキャップ１３，２３とを有する医療器具１０，２０を包装する包装容器１００であって、医療器具１００を装填するための空間部１０１，１０２と、医療器具１０，２０を保持するための保持部１０３と、空間部１０１，１０２の下部に設けられた底部１０６とを備え、底部１０６がキャップ１３，２３を斜めに立てかけることのできる段差を有する包装容器１００。【選択図】図２
2006326192.tif 000002
【特許請求の範囲】
【請求項１】
鋭利な先端部と、該鋭利な先端部を保護するキャップとを有する医療器具を包装する包装容器であって、前記医療器具を装填するための空間部と、該空間部の周囲に設けられ前記医療器具を保持するための保持部と、前記空間部の下部に設けられた底部とを備え、前記底部が前記キャップを斜めに立てかけることのできる段差を有することを特徴とする包装容器。
【請求項２】
前記保持部と前記底部が一体的に形成されてなることを特徴とする請求項１に記載の包装容器。
【請求項３】
前記底部が前記キャップの先端を配置可能な深底部と、立てかけの際に前記キャップの先端が前記空間部の長手方向に移動するのを制限する壁とを有することを特徴とする請求項１または２に記載の包装容器。
【請求項４】
前記キャップの立てかけの際に前記キャップの側壁を支持する側壁支持部を更に有することを特徴とする請求項１ないし３のいずれかに記載の包装容器。
【請求項５】
前記側壁支持部が、前記キャップの重心よりも基端側を支持することを特徴とする請求項４に記載の包装容器。
【請求項６】
前記医療器具が注射針、留置針またはメスであることを特徴とする請求項１ないし５のいずれかに記載の包装容器。
【請求項７】
前記底部が、複数の前記段差を有することにより、長さの異なる複数の前記医療器具が立てかけ可能であることを特徴とする請求項１ないし６のいずれかに記載の包装容器。
【発明の詳細な説明】
【技術分野】
【０００１】
本発明は、診断や治療などの医療行為に用いられる針や切皮メスを収納するための包装容器に関し、特に医療従事者が医療行為中に指刺し事故を起こさないよう配慮した包装容器に関するものである。
【背景技術】
【０００２】
プラスチック成型による包装容器として、プラスチックシートを加熱下にプレスしてポケットを形成させ、該ポケット内に製品を装填することにより包装が行われる容器が広く普及している。このような包装容器は、医療器具の分野でも採用されており、注射器や注射針の包装に用いられている。
【０００３】
注射針のような生体の血液に触れうる器具は、感染防止を目的として、使い捨てとされるのが一般である。また、注射針のような鋭利な先端を有する医療器具は、輸送中に包装容器を傷つけたり、逆に鋭利な先端が損傷することのないよう、注射針用キャップが取り付けられている。このようなキャップは、使用後の廃棄時にも注射針に取り付けた方が、その後の廃棄作業にいたるまでの取り扱いの安全性の点で望ましいとされている。しかしながら、注射器本体を一方の手で持ち、注射器本体の先にある針を他方の手で持ったキャップに収納する際、誤って針先でキャップを保持している指を刺してしまう虞がある。
【０００４】
こうした針刺し事故は、医療従事者がエイズや肝炎などに感染する可能性につながるため、望ましくない。
【０００５】
特許文献１は、このような事故を防止する目的で、注射針用キャップを脱着するための脱着器具を開示している。
【特許文献１】特開平９−２８２０１７号公報
【発明の開示】
【発明が解決しようとする課題】
【０００６】
しかしながら、手術室などの限られたスペースで作業が行われる場合に、特許文献１のような脱着器具を都度用意するのは煩わしく、医療従事者にとって必ずしも使い勝手の良いものではない。
【０００７】
本願発明は、このような問題点に鑑みてなされ、医療従事者がストレス無く利用でき、かつ針などの鋭利な医療器具の先端で指などを刺す事故を防止するための包装容器を提供することを目的とする。
【課題を解決するための手段】
【０００８】
このような目的は、下記（１）から（７）の本発明により達成される。
【０００９】
（１）鋭利な先端部と、該鋭利な先端部を保護するキャップとを有する医療器具を包装する包装容器であって、前記医療器具を装填するための空間部と、該空間部の周囲に設けられ前記医療器具を保持するための保持部と、前記空間部の下部に設けられた底部とを備え、前記底部が前記キャップを斜めに立てかけることのできる段差を有することを特徴とする包装容器。
【００１０】
（２）前記保持部と前記底部が一体的に形成されてなることを特徴とする上記（１）に記載の包装容器。
【００１１】
（３）前記底部が前記キャップの先端を配置可能な深底部と、立てかけの際に前記キャップの先端が前記空間部の長手方向に移動するのを制限する壁とを有することを特徴とする上記（１）または（２）に記載の包装容器。
【００１２】
（４）前記キャップの立てかけの際に前記キャップの側壁を支持する側壁支持部を更に有することを特徴とする上記（１）ないし（３）のいずれかに記載の包装容器。
【００１３】
（５）前記側壁支持部が、前記キャップの重心よりも基端側を支持することを特徴とする上記（４）に記載の包装容器。
【００１４】
（６）前記医療器具が注射針、留置針またはメスであることを特徴とする上記（１）ないし（５）のいずれかに記載の包装容器。
【００１５】
（７）前記底部が、複数の前記段差を有することにより、長さの異なる複数の前記医療器具が立てかけ可能であることを特徴とする上記（１）ないし（６）のいずれかに記載の包装容器。
【発明の効果】
【００１６】
本発明の包装容器によれば、鋭利な先端を有する医療器具の包装容器が、鋭利な先端部を覆うキャップを着脱しやすい状態に保持することができ、キャップを手で持つことなく脱着できる構造を有するため、医療従事者が容易に利用でき、かつ針などの鋭利な医療器具の先端で指などを刺す事故を防止することが可能となる。
【発明を実施するための最良の形態】
【００１７】
以下、本発明の包装容器を添付図面に示す好適構成例に基づいて詳細に説明する。
【００１８】
図１は、本発明の包装容器の実施形態として、包装容器１００に被包装物である医療器具の例であるキャップ付の針１０とメス２０を装填・配置した様子を示す斜視図であり、図２は、図１の状態から針１０とメス２０を取り出した様子を示す斜視図である。
【００１９】
包装容器１００は、プラスチックシートを真空成形や圧空成形、プレス成形等の製造方法により加工し形成されている。図１および図２において、１０１は針１０を装填するための空間部、１０２はメス２０を装填するための空間部である。空間部１０１，１０２の周囲には、被包装物を取り囲み、保持するための保持部として壁部１０３が形成されており、壁部１０３には、部分的に空間部１０１，１０２へ向けた突起１０４が対になって複数設けられている。この突起１０４は、針１０やメス２０が輸送中に脱落することのないよう、固定するための固定部として機能する。また、空間部１０１，１０２から包装容器１００の側壁に貫通する３つの開口１０５は、被包装物である針１０やメス２０を取り出す際に指を入れるための取り出し部として機能する。
【００２０】
空間部１０１，１０２の下部には、底部１０６が形成されており、底部１０６と壁部１０３は一体的に連続するよう形成されている。
【００２１】
図３は針１０とメス２０のキャップ付きの状態とキャップを外した状態を説明する図である。図３において、図３（ａ）はキャップを装着した状態のメス２０を示し、図３（ｂ）はキャップを外した状態のメスとキャップを示している。また、図３（ｃ）はキャップを装着した状態の針１０を示し、図３（ｄ）はキャップを外した状態の針とキャップを示している。
【００２２】
本実施形態において、メス２０は、手術の際に患者の皮膚を必要に応じて切開する切皮メスである。メス２０は、鋭利な先端部である刃２１と、把持部であるグリップ２２と、刃２１を保護するために覆うキャップ２３とからなり、キャップ２３は、使用時以外は安全のため刃２１を覆うように装着される。
【００２３】
針１０としては、図示しない注射筒（シリンジ）と接続して使用される注射針や、金属針にプラスチック製套管針が被装され、人体に穿刺後、金属針のみ抜去して套管針を留置する留置針が例示される。本実施形態では留置針を例に説明する。套管針と金属針が一体化した形態の針１０は、２つのコネクタが一体化したコネクタ部１２と、鋭利な先端部である針部１１とを有する。注射針１０は、針部１１を保護するために覆う針キャップ１３と、コネクタ部１２を覆うコネクタキャップ１４を更に有する。２つのキャップ１３，１４は互いに接続されて一体化することが可能であり、コネクタ部１２および針部１１は、２つのキャップ１３，１４内に収納される。
【００２４】
使用時には、まずコネクタキャップ１４のみを取り外し、コネクタ部１２を露呈させて、図示しない注射筒を接続する。次いで、針キャップ１３を取り外し、針部１１を露呈させて使用する。使用が終了すると、廃棄時の事故を防ぐため、針キャップ１３およびコネクタキャップ１４を装着させて廃棄する。
【００２５】
なお、針１０が留置針でなく、注射針であった場合には、一般にコネクタキャップ１４が存在せず、針キャップ１３のみが設けられ、針キャップ１３がコネクタ部１２に単独で装着されるものであるため、廃棄時にも針キャップ１３のみを装着させて廃棄する。
【００２６】
すなわち、メス２０と注射針１０は、ともに、使用後には再度キャップを装着する必要があるものである。
【００２７】
図４において、図４（ａ）は医療器具が設置されていない状態の包装容器１００の上面図を示すものであり、図４（ｂ）は図４（ａ）のＡ−Ａ断面図にキャップ２３を置いた状態を示すものであり、図４（ｃ）は図４（ａ）のＢ−Ｂ断面図に針キャップ１３を置いた状態を示すものである。
【００２８】
図４に示すように、包装容器１００の空間部１０１，１０２の下部に形成された底部１０６は、段差の付いた形状を有する。底部１０６には、比較的底の深い深底部１０７と、比較的に底の浅い浅底部１０９と、傾斜部１０８と垂直部１１０があり、傾斜部１０８および垂直部１１０は、深底部１０７と浅底部１０９の間を接続したり、深底部１０７または浅底部１０９と天板１１１との間を接続する。
【００２９】
浅底部１０９は、注射針１０やメス２０を包装している状態の際に、これらの器具を支持する面である。浅底部１０９よりも深い位置になるよう形成された傾斜部１０８や深底部１０７は、メス２０や注射針１０の使用後等に再度キャップを装着する際、斜めに立てかけて使用するためのものである。
【００３０】
本実施形態においては、包装容器１００の底部１０６にこのような段差が設けられていることにより、針キャップ１３やキャップ２３の先端部が深底部１０７等の比較的底の深い個所に当接し、針キャップ１３やキャップ２３の側壁部が該先端部の当接個所よりも高い個所である傾斜部１０８や浅底部１０９や天板１１１、あるいはこれらの境界部分に当接することによって、針キャップ１３やキャップ２３を手で押えなくても単独で斜めに立てかけておくことができる。針キャップ１３やキャップ２３の側壁部の底部１０６への当接個所は、これらキャップの重心位置よりも基端側が当接するように底部１０６の形状が形成されている。キャップの当接位置をキャップの重心より基端側とすることにより、キャップを斜めに立てかけた際に、キャップが基端側に倒れることがない。
【００３１】
詳しく述べると、図４（ｂ）において、キャップ２３は、その先端部２４が深底部１０７に当接し、また、先端部２４は、垂直部１１０のような底部１０６に形成された壁にも当接することで、空間部１０２の長手方向には移動しないよう制限されている。また、キャップ２３の側壁部２５は先端部２４の当接位置よりも浅い位置に形成された傾斜部１０８、あるいは傾斜部１０８と浅底部１０９の境界部に支持される。すなわち、傾斜部１０８、あるいは傾斜部１０８と浅底部１０９の境界部は、キャップ２３の側壁支持部として機能している。側壁部２５はキャップ２３の重心よりも十分基端側に位置している。したがって、キャップ２３が側壁部２５を回転軸に基端側に転倒することはない。
【００３２】
また、図４（ｃ）において、針キャップ１３は、その先端部１５が傾斜部１１２のような底部１０６に形成された壁に当接することで、空間部１０１の長手方向には移動しないよう制限されている。また、針キャップ１３の側壁部１６は、先端部１５の当接位置よりも上方（浅い位置）に形成された天板１１１に支持される。すなわち、傾斜部１０８、あるいは傾斜部１０８と浅底部１０９の境界部は、針キャップ１３の側壁支持部として機能している。側壁部１６は針キャップ１３の重心よりも十分基端側に位置している。したがって、針キャップ１３が側壁部１６を回転軸に基端側に転倒することはない。なお、図４（ｃ）では、空間部１０１の長手方向に、２つの深底部１０７が形成されているが、これは、品種の異なる複数の針に
対応するためのものである。すなわち、コネクタキャップ１４の長さが異なる場合であっても、コネクタキャップ１４の先端位置を適宜変更することによって、コネクタキャップ１４が長い場合には先端側の深底部１０７を使用し、コネクタキャップ１４が短い場合には基端側の深底部１０７を使用することによって、異なる角度で立てかけることが可能となる。
【００３３】
図４（ｂ）や図４（ｃ）のように、包装容器１００が、医療器具を収納するだけでなく、キャップを斜めに立てかけた状態に支持することができることによって、使用者が鋭利な先端を有する医療器具に対し、使用後再度キャップを被せる際、手でキャップを押えることなく鋭利な先端をキャップ内に入れることができる。一旦、先端をキャップ内に入れてしまえば、その後にキャップと器具とを強固に嵌合させる際には両手を使用しても差し支えない。本実施形態によれば、キャップに医療器具の鋭利な先端を入れる際に、指を差す事故が起こる虞を低減することができる。
【００３４】
なお、本発明の包装容器１００としては、ABS、AES、PC、PP、PE、PS、HIPS、PET、PVC等の所望の強度を有するプラスチック材料により、真空成形や圧空成形プレス成形等の製造方法で形成することが望ましい。
【００３５】
また、包装容器１００の最終的な包装形態（密封形態）としては、天板１１１上に蓋シートを貼ってブリスター包装として密封しても良いし、袋に入れて密封しても良い。
【図面の簡単な説明】
【００３６】
【図１】包装容器１００に被包装物である医療器具の例であるキャップ付の注射針１０とメス２０を装填・配置した様子を示す斜視図である。
【図２】図１の状態から注射針１０と切皮メス２０を取り出した様子を示す斜視図である。
【図３】注射針１０とメス２０のキャップ付きの状態とキャップを外した状態を説明する図である。
【図４】図４（ａ）は医療器具が設置されていない状態の包装容器１００の上面図を示すものであり、図４（ｂ）は図４（ａ）のＡ−Ａ断面図にキャップ２３を置いた状態、図４（ｃ）は図４（ａ）のＢ−Ｂ断面図に針キャップ１３を置いた状態を示すものである。
【符号の説明】
【００３７】
１００          包装容器
１０１，１０２  空間部
１０３          保持部
１０            メス
１１            キャップ
２０            注射針
２１            針キャップ
【図１】
2006326192.tif 000003
【図２】
2006326192.tif 000004
【図３】
2006326192.tif 000005
【図４】
2006326192.tif 000006